(57)【要約】【課題】高齢者や身体障害を持った方にとっても操作性がよく、かつ所望数の小画像を容易に表示することができるサムネイル画像表示機能を有する画像表示装置及びこれを備えた画像形成装置を提供することを目的とする。【解決手段】サムネイル画像を表示する際に、予め液晶表示器に表示させるサムネイル画像表示数を、通常モード時のサムネイル画像表示数と音声ガイドモード時のサムネイル画像表示数のそれぞれ設定し、モードに応じたサムネイル画像表示数を読み込む（１０４〜１０８）。そして、読み込んだサムネイル画像表示数と、液晶表示器のサムネイル画像表示領域の大きさと、に基づいてサムネイル画像のサイズを決定し（１１０）、設定されたサムネイル画像表示数と、決定したサムネイル画像の大きさでサムネイル画像を液晶表示器に表示する（１１２）。【選択図】        図５
2004226912.tif 000002
【特許請求の範囲】
【請求項１】
画像を元画像よりも小さい小画像で表示可能な画像表示装置であって、
画像を表示する表示面に表示するための前記小画像の数を設定する設定手段と、
前記設定手段に設定された前記小画像の数と前記表示面の大きさに基づいて、前記表示面に表示する前記小画像のサイズを決定する決定手段と、
前記設定手段に設定された前記小画像の数及び前記決定手段によって決定された前記小画像のサイズに基づいて、前記表示面に前記小画像を表示制御する制御手段と、を備えた画像表示装置。
【請求項２】
前記設定手段によって設定する前記小画像の数がそれぞれ異なる２以上のモードを有し、当該モードを選択する選択手段を更に備えることを特徴とする請求項１に記載の画像表示装置。
【請求項３】
前記モードは、非健常者のための特殊モードを含むことを特徴とする請求項２に記載の画像表示装置。
【請求項４】
前記設定手段は、前記表示面の縦方向及び横方向の少なくとも一方向に表示するための前記小画像の数を設定することを特徴とする請求項１乃至請求項３の何れか１項に記載の画像表示装置。
【請求項５】
請求項１乃至請求項４の何れか１項に記載の画像表示装置を備えた画像形成装置。
【発明の詳細な説明】
【０００１】
【発明の属する技術分野】
本発明は、画像表示装置にかかり、特に、サムネイル画像等の小画像を表示可能な画像表示装置に関する。
【０００２】
【従来の技術】
デジタルカメラで撮影することによって得られる画像や写真フィルムに記録された画像を一覧表示する際に、元画像よりも小さいサムネイル画像として複数表示するものが提案されている。
【０００３】
例えば、特許文献１に記載の技術では、デジタルカメラ等で撮影することによって得られる画像を一覧表示する際に、複数の画像サイズで表示するとと共に、所定の操作に応じてフルサイズの画像を表示することが提案されている。
【０００４】
また、特許文献２に記載の技術では、パーソナルコンピュータ等において、作成した全ページをサムネイル画面で一覧表示し、該表示のサムネイル画面を複数選択して、該選択のサムネイル画面を更にサムネイル表示することが提案されている。
【０００５】
さらに、特許文献３に記載の技術では、入力される画像を計数して、計数した画像数に応じてサムネイル画像の大きさと配列を設定して、それを表示することが提案されている。
【０００６】
一方、近年では、高齢化社会を迎えて、社会のインフラとして、高齢者もしくは身体障害を持った方が健常者と同じように働けるようにオフィス環境を整備することが急務となってきており、種々の提案がなされている（例えば、特許文献４など）
【０００７】
【特許文献１】
特開２０００−３４１６４４号公報
【特許文献２】
特開２００２−１７５１４３号公報
【特許文献３】
特開平１０−６５９０１号公報
【特許文献４】
特開平１１−１２２４０９号公報
【０００８】
【発明が解決しようとする課題】
しかしながら、複写機、プリンタ、ファクシミリ等の画像形成装置の画像表示装置に上述のサムネイル画像表示機能を適用しようとすると、表示画面が小さいので、高齢者もしくは身体障害を持った方が、画像の確認を元画像よりも小さいサイズのサムネイル画像で行う場合には、数多くのサムネイル画像が表示されるため、各サムネイル画像が小さく見難い、という問題がある。
【０００９】
さらに、一画面に表示するサムネイル画像数を任意に設定することができないので、複数のサムネイル画像が一画面に表示されることになり、高齢者や身体障害を持った方などが、一画面の中から所望の画像を探しにくい、という問題がある。
【００１０】
本発明は、上記事実考慮して成されたもので、高齢者や身体障害を持った方にとっても操作性がよく、かつ所望数の小画像を容易に表示することができるサムネイル画像表示機能を有する画像表示装置及びこれを備えた画像形成装置を提供することを目的とする。
【００１１】
【課題を解決するための手段】
上記目的を達成するために請求項１に記載の発明は、画像を元画像よりも小さい小画像で表示可能な画像表示装置であって、画像を表示する表示面に表示するための前記小画像の数を設定する設定手段と、前記設定手段に設定された前記小画像の数と前記表示面の大きさに基づいて、前記表示面に表示する前記小画像のサイズを決定する決定手段と、前記設定手段に設定された前記小画像の数及び前記決定手段によって決定された前記小画像のサイズに基づいて、前記表示面に前記小画像を表示制御する制御手段と、を備えることを特徴としている。
【００１２】
請求項１に記載の発明によれば、設定手段では、画像を表示する表示面に表示するための元画像よりも小さい小画像の数が設定され、決定手段では、設定手段に設定された小画像の数と、表示面の大きさに基づいて、表示面に表示する小画像のサイズが決定される。例えば、設定手段に設定された小画像の数が、表示面に表示される大きさとなるように小画像の大きさを決定する。
【００１３】
そして、表示制御手段では、決定手段によって決定された画像サイズの小画像を、設定手段に設定された数だけ表示面に表示するように制御される。
【００１４】
すなわち、表示面に表示する小画像の数を設定するだけで、設定された数が表示可能な画像サイズが自動的に決定されて表示されるので、所望の数の小画像を表示面に容易に表示させることができる。
【００１５】
換言すれば、高齢者や身体障害を持った方でも、設定手段に表示させたい数の小画像数を設定するだけで、所望の数の小画像を表示させることができる。また、画像が見難い場合には、表示する小画像数を少なく設定すれば、小画像のサイズが表示面に表示可能な大きさに拡大することができるので、容易に小画像サイズを変えることができる。
【００１６】
従って、高齢者や身体障害を持った方にとっても操作性がよく、かつ所望数の小画像を容易に表示することができるサムネイル画像表示機能を提供することができる。
【００１７】
請求項２に記載の発明は、請求項１に記載の発明において、前記設定手段によって設定する前記小画像の数がそれぞれ異なる２以上のモードを有し、当該モードを選択する選択手段を更に備えることを特徴としている。
【００１８】
請求項２に記載の発明によれば、請求項１に記載の発明において、設定手段に設定する小画像の数がそれぞれ異なる２以上のモードを有しており、選択手段によって当該モードを選択することができる。すなわち、選択手段によってモードを選択するだけで、表示面に表示する小画像の数を容易に変えることができ、高齢者や身体障害を持った方にとっても操作性の高いサムネイル画像表示機能を提供することができる。
【００１９】
ここで、選択手段によって選択するモードは、請求項３に記載の発明のように、高齢者や身体障害を持った方などの非健常者のためのモードを含むようにしてもよい。すなわち、非健常者のためのモードに合わせた小画像の数を表示することが可能となる。
【００２０】
なお、設定手段は、請求項４に記載の発明のように、表示面の縦方向及び横予行の少なくとも一方に表示するための小画像の数を設定するようにしてもよい。
【００２１】
請求項５に記載の発明は、請求項１乃至請求項４の何れか１項に記載の画像表示装置を備えることを特徴としている。
【００２２】
請求項５に記載の発明によれば、上述の請求項１乃至請求項４の何れか１項に記載の画像表示装置は、画像形成装置に設けられた液晶表示器等の画像表示装置に適用することができる。
【００２３】
すなわち、画像形成装置等に適用される画像表示装置は、表示面が小さいので、表示面のサイズに合わせて、表示する小画像の数を設定手段により設定することにより、高齢者や身体障害を持った方でも上述のように小画像の確認を容易に行うことができる。
【００２４】
【発明の実施の形態】
以下、図面を参照して本発明の実施の形態の一例を詳細に説明する。なお、本実施の形態は、スキャナ機能、コピー機能、ファクシミリ機能、プリンタ機能等の複数の機能を複合した複合機に本発明を適用したものである。
【００２５】
図１に示すように本発明の実施の形態に係わる複合機のイメージ入力部１０は、プラテンガラス１２、カバー１４、コントロールパネル１６、及びハンドセット２０を備えている。プラテンガラス１２は、コピー又はファクシミリ用の原稿Ｐを載置するためのものである。プラテンガラス１２に載置された原稿Ｐは、図示しないイメージ読取装置によって読み取られ、読み取られた原稿Ｐのイメージデータは、メモリに一時的に格納されて、後にファクシミリ信号又は印刷出力用のイメージ信号に変換される。
【００２６】
コントロールパネル１６は、表示面にタッチパネル１６ｃ（図３参照）を有する液晶表示器１６ａ、及び操作部１６ｂを有している。液晶表示器１６ａは、複合機をコピー、ファクシミリ、又はプリンタとして使用するときの操作ガイドを表示したり、各種設定データを表示するために使用され、また、タッチパネル１６ｃを利用した各種設定を入力することもできるようになっている。操作部１６ｂには、コピー枚数やファクシミリ送信先電話番号を入力するためのテンキーや、ファクシミリ送信先電話番号が登録されるワンタッチダイヤルボタンや、コピー又はファクシミリ送信などを開始させるスタートボタンなど、各種操作ボタンが設けられている。
【００２７】
ハンドセット２０は、ファクシミリの手動送信操作時に使用される。イメージ出力部１０は、その上部２２に、イメージ入力部１０にて読み取ったイメージデータ、他のファクシミリ装置から送られたファクシミリデータ、あるいはパーソナルコンピュータなどから送られた文字データやイメージデータを印刷するプリンタエンジンを内蔵しており、下部２４には、各種サイズの用紙を収容する用紙トレイが設けられている。
【００２８】
また、液晶表示器１６ａの近傍には、後述する各種メディアを読み取るためのメディア読取装置１８（図３参照）のメディア挿入部１８ａが設けられており、該メディア挿入部１８ａにメディアを挿入することによって、メディアに記憶された画像等をプリントや外部の機器へ送信することが可能とされている。
【００２９】
図２はコントロールパネル１６の具体的な構成例を示す図である。コントロールパネル１６は、左側に液晶表示器１６ａ、右側に操作部１６ｂが配置されている。操作部１６ｂには、テンキー２６、手動受信ボタン２８、リセットボタン３０、ストップボタン３２、、スタートボタン３４、割り込みボタン３６、クリアボタン３８、音声ガイドボタン４０、機能切り換えボタン４２、ワンタッチダイヤルボタン４４が設けられている。また、操作部１６ｂには、音声出力部４６、音量ツマミ４８及びイヤホンジャック４９も設けられている。
【００３０】
テンキー２６は、コピー枚数やコピー部数の設定、ファクシミリ送信先電話番号の入力、ワンタッチダイヤルボタン４４への電話番号登録などに使用される。
手動受信ボタン２８は、ファクシミリの自動受信モードを手動受信モードに切り換えるときに使用される。リセットボタン３０は、各種設定中に入力した値を間違えた場合、入力した値を取り消すとき等に使用される。ストップボタン３２は、開始された機能を途中で中止させるとき等に使用される。
【００３１】
スタートボタン３４は、設定終了後に、その設定でコピー、ファクシミリ、プリンタ等の機能を開始させるときに使用される。割り込みボタン３６は、ジョブの割り込みを行うときに使用される。クリアボタン３８は、コントロールパネル１６を通じて行った各種設定を初期の状態に戻すときに使用される。
【００３２】
音声ガイドボタン４０は、操作を全て音声ガイドで実行するときに使用される。このときの音声は、音声出力部４６から出力されると共に、イヤホンジャック４９にイヤホンを差し込むことでも聴くことができる。そして、その音量は音量ツマミ４８で調整できる。また、トラブルが生じているときにこの音声ガイドボタン４０を押すと、トラブルの内容が音声で出力される。
【００３３】
機能切り換えボタン４２は、複合機をコピーとして使用するか、ファクシミリとして使用するか、プリンタとして使用するかなどを切り換えるボタンである。
ワンタッチダイヤルボタン４４は、予め登録してある電話番号を、ボタン一つで呼び出すときに使用される。
【００３４】
次にこのようなコントロールパネル１６を有する複合機の制御部の構成について説明する。図３は複合機の制御部の構成を示すブロック図である。
【００３５】
複合機は、メインコントローラ５０を有し、このメインコントローラ５０は、ＣＰＵ５０ａ、ＲＯＭ５０ｂ、ＲＡＭ５０ｃがバス５０ｄに接続されたマイクロコンピュータで構成され、ＲＯＭ５０ｂには、音声ガイドデータ、液晶表示器１６ａへ表示するための各種データ、各種プログラム等が格納されている。メインコントローラ５０のバス５０ｄには、音声ガイドやエラーメッセージなどを音声出力するスピーカ５２を駆動するための駆動回路５０ｅが接続されている。このスピーカ５２からの音声は、図２で示したコントロールパネル１６の音声出力部４６を介して外部に出力される。
【００３６】
また、ＲＡＭ５０ｃは、親展ボックス等で代表されるボックス機能を有しており、外部の機器から入力される画像情報等の情報が記憶されるようになっている。
【００３７】
また、メインコントローラ５０には、システムバス５４を介してコントロールパネル１６、スキャナ機構部５６、プリント機構部５８、及びＮＣＵ（ネットワーク・コントロール・ユニット）５８が接続されている。コントロールパネル１６は、メインコントローラ５０からの操作ガイド表示用のイメージデータを受けて液晶表示器１６ａに表示させると共に、音声ガイドボタン４０をはじめとして操作部１６ｂ上の各種ボタンの入力を受けて、その情報をメインコントローラ５０に送る。
【００３８】
スキャナ機構部５６は、メインコントローラ５０からの読み取り動作指令を受けて、原稿の読み取り動作を行う。そして、読み取ったイメージデータを、システムバス５４を介してメインコントローラ５０に送る。
【００３９】
プリント機構部５８は、メインコントローラ５０から送られるプリントデータを用紙にプリントする。また、メインコントローラ５０は、スキャナ機構部５６及びプリント機構部５８に設けられた各種センサからの信号を受付、スキャナ機構部５６及びプリント機構部５８の動作状態を常時監視する。
【００４０】
ＮＣＵ５８は、複合機をファクシミリとして使用する場合に、電話回線をメインコントローラ５０に接続し、ハンドセット２０をオフフックした場合に、電話回線をハンドセット２０に接続する。また、ＮＣＵ５８は、図示しないネットワーク回線等に接続され、ネットワーク回線に接続されたパーソナルコンピュータから送信されるデータを受信して、メインコントローラ５０へ送る。
【００４１】
コントロールパネル１６は、液晶表示器１６ａ、液晶表示器１６ａの表示に対応して設けられたタッチパネル１６ｃ、及び操作部１６ｂがシステムバス１６ｄに接続されており、メインコントローラ５０の制御によって液晶表示器１６ａへの表示を行うと共に、タッチパネル１６ｃや操作部１６ｂの操作入力をメインコントローラ５０へ送る。
【００４２】
また、システムバス５４には、メディア読取装置１８が接続されており、各種メディアから種々の情報を読み取ることが可能なように構成されている。なお、各種メディアとしては、例えば、フレキシブルディスク、ＣＤ―ＲＯＭ、ＤＶＤ、スマートメディア、メモリカード等を適用することが可能である。
【００４３】
ここで、本実施の形態に係わる複合機における液晶表示器１６ａに表示されるサムネイル画像表示機能について説明する。
【００４４】
本実施の形態に係わる複合機は、外部の機器や各種メディアから入力される画像を元画像よりも小さいサムネイル画像に変換して表示する機能を有しており、例えば、ＲＡＭ５０ｃに有するボックス機能に記憶された情報や、デジタルカメラで撮影することによって得られる画像データ等が記憶された各種メディア内の画像等や、スキャナ機構部５６で読み取った画像などを、プリント、メール送信等を行うことが可能とされ、この際に、プリントする画像やメール送信する画像等を元画像よりも小さい画像サイズのサムネイル画像で複数表示することが可能とされている。
【００４５】
そして、液晶表示器１６ａに表示するサムネイル画像の数が設定可能とされており、予め定めたサムネイル画像表示数設定画面に表示するサムネイル画像数を設定することにより、設定されたサムネイル画像表示数と、液晶表示器１６ａの表示有効領域の大きさと、に基づいて、液晶表示器１６ａに表示するサムネイル画像の大きさを決定し、設定したサムネイル画像表示数の画像を決定したサムネイル画像の大きさで表示するようになっている。
【００４６】
さらに、本実施の形態に係わる複合機では、音声ガイドボタン４０が操作されて音声ガイドモードの場合と、それ以外の通常モードの場合とでそれぞれ異なるサムネイル画像表示数を設定することが可能とされている。例えば、音声ガイドモードは、高齢者や身体障害を持った方が使用するモードとされ、音声ガイドモードの場合におけるサムネイル画像表示数を少なく、かつ大きいサイズのサムネイル画像を表示させることが可能とされている。すなわち、音声ガイドボタン４０が本発明の選択手段に相当する。
【００４７】
図４には、サムネイル画像表示数設定画面の一例を示す。図４に示すように、通常モード及び音声ガイドモード共に、それぞれの現在の設定値６６ａ、６６ｂを参考に、テンキー２６を操作して変更値６６ａ、６６ｂを入力することが可能とされており、液晶表示器１６ａに表示されたモードボタン（通常モード６４ａ又は音声ガイドモード６４ｂ）を液晶表示器１６ａのタッチパネルを操作して、サムネイル画像表示数を設定するモードを選択する。そして、テンキー２６を操作して、所望のサムネイル画像表示数を設定し、確定ボタン７０を押すことによって、サムネイル画像表示数を設定することが可能とされており、取り消しボタン７２によって設定値を取り消すことができるようになっている。なお、サムネイル画像表示数の設定値は、メインコントローラ５０のＲＡＭ５０ｃに記憶され、設定毎に更新されるようになっている。
【００４８】
続いて、上述のように構成された複合機において、上述のサムネイル画像表示数設定画面で設定されたサムネイル画像数に基づいてサムネイル画像を表示する際のサムネイル画像表示処理について図５のフローチャートを参照して説明する。
【００４９】
まず、ステップ１００では、画像データが取得される。画像データは、例えば、外部のパーソナルコンピュータから送信される画像データや、メディア読取装置１８によってメディアから読み取られた画像データや、スキャナ機構部５６によって原稿を読み取ることによって得られる画像データ等が取得される。
【００５０】
ステップ１０２では、サムネイル画像を表示するか否か判定される。該判定は、操作部１６ｂやタッチパネル１６ｃを介してサムネイル画像表示を表す指示が行われたか否かを判定することによってなされ、該判定が否定された場合には、そのまま当該サムネイル画像表示処理を終了する。また、ステップ１０２の判定が肯定された場合には、ステップ１０４へ移行する。
【００５１】
ステップ１０４では、音声ガイドモードか否か判定される。該判定は、予め音声ガイドボタン４０が押されて、音声ガイドモードが指示されているか否かを判定することによってなされ、該判定が肯定された場合には、ステップ１０６へ移行して、上述のサムネイル画像表示数設定画面で予め設定された音声ガイドモード時のサムネイル画像表示数が読み込まれてステップ１１０へ移行し、ステップ１０４の判定が否定された場合には、ステップ１０８へ移行して、上述のサムネイル画像表示数設定画面で予め設定された通常モード時のサムネイル画像表示数が読み込まれてステップ１１０へ移行する。
【００５２】
ステップ１１０では、液晶表示器１６ａのサムネイル画像表示領域の大きさと、該読み込みのサムネイル画像表示数に基づいてサムネイル画像のサイズが決定される。すなわち、設定されたサムネイル画像表示数に応じて、サムネイル画像の大きさが、液晶表示領域の大きさに合わせて決定されて、ステップ１１２へ移行する。
【００５３】
ステップ１１２では、サムネイル画像表示数設定画面で予め設定されたサムネイル画像表示数と、ステップ１１０で決定したサムネイル画像の大きさでサムネイル画像が液晶表示器１６ａに表示される。
【００５４】
例えば、通常モード時の場合には、図６（Ａ）のようにサムネイル画像が表示され、音声ガイドモード時の場合には、図６（Ｂ）のようにサムネイル画像が表示される。なお、図６（Ａ）の通常モードは、サムネイル画像表示数が１２個で予め設定され、図６（Ｂ）の音声ガイドモードは、サムネイル画像表示数が２個で予め設定された場合の例を示す。
【００５５】
続いて、ステップ１１４では、次のページがあるか否か判定される。すなわち、ステップ１００で取得した画像データのうち、現在表示しているサムネイル画像の他に画像データがあるか否か判定され、該判定が肯定された場合には、ステップ１１６へ移行する。
【００５６】
ステップ１１６では、次ページ表示指示がなされたか否か判定される。該判定は、例えば、図６（Ａ）、（Ｂ）に示すように、液晶表示装置１６ａに表示された次ページボタン７４等に対応するタッチパネル１６ｃの位置が操作されたか否かを判定することによってなされ、該判定が否定された場合には、肯定されるまで待機してステップ１１８へ移行して、次ページに対応するサムネイル画像が表示される。
【００５７】
なお、ステップ１１２でサムネイル画像が表示されている間や、ステップ１１６の判定で待機している間に、例えば、図６（Ａ）、（Ｂ）に示す液晶表示器１６ａに表示された処理１ボタン７６や処理２ボタン７８等の所定の処理を実行するためのボタンに対応するタッチパネル１６ｃの位置が操作された場合には、対応する処理を行うようにしてもよい。
【００５８】
一方、ステップ１１４の判定が否定された場合には、そのままサムネイル画像表示処理を終了する。
【００５９】
なお、ステップ１０４〜１０８は本発明の設定手段に相当し、ステップ１１０は本発明の決定手段に相当し、ステップ１１２は本発明の制御手段に相当する。
【００６０】
このように、本実施の形態に係わる複合機は、図４に示すようなサムネイル画像表示数設定画面で、液晶表示器１６ａに表示するサムネイル画像数を予め設定して、設定に応じて、サムネイル画像を表示することができるので、所望の数のサムネイル画像を液晶表示器１６ａに表示させることができる。また、このとき、設定されたサムネイル画像表示数と、液晶表示器１６ａの表示領域の大きさと、に基づいて、サムネイル画像の大きさを決定して表示するので、サムネイル画像表示数を少なく設定することにより、サムネイル画像表示数を多く設定する場合に比べて、大きなサムネイル画像を表示することができるので、高齢者や身体障害を持った方でも見やすいサムネイル画像を容易に表示することができる。さらに、本実施の形態では、高齢者や身体障害を持った方等が使用する音声ガイドモード時には、音声ガイドモード時用のサムネイル画像表示数で表示するので、音声ガイドモードを選択するだけで、高齢者や身体障害を持った方は、見やすいサムネイル画像を表示させることができる。
【００６１】
また、サムネイル画像表示数は、上述のサムネイル画像表示数設定画面で容易に設定することができるので、使用者の好みに応じて設定を変更することができ、健常者を問わず、誰にでも高い操作性を提供することができる。
【００６２】
続いて、上記の実施の形態の変形例について説明する。
【００６３】
上記の実施の形態では、音声ガイドモードと、通常モードとで、異なるサムネイル画像表示数を設定し、それぞれのモードに応じたサムネイル画像表示数でサムネイル画像を表示するようにしたが、変形例では、単に、予め設定したサムネイル画像表示数で表示するものである。なお、装置の構成は、上記の実施の形態と同一であるため、説明を省略する。
【００６４】
図７には、変形例のサムネイル画像表示数設定画面の一例を示す。図７に示すように、サムネイル画像表示数の現在の設定値６６を参考に、テンキー２６を操作して変更値６８を入力することが可能とされている。そして、テンキー２６を操作して、所望のサムネイル画像表示数を設定し、確定ボタン７０を押すことによって、サムネイル画像表示数を設定することが可能とされており、取り消しボタン７２によって設定値７２を取り消すことができるようになっている。なお、サムネイル画像表示数の設定値は、メインコントローラ５０のＲＡＭ５０ｃに記憶され、設定毎に更新されるようになっている。
【００６５】
続いて、変形例における、サムネイル画像表示数設定画面で設定されたサムネイル画像数に基づいてサムネイル画像を表示する際のサムネイル画像表示処理について図８のフローチャートを参照して説明する。
【００６６】
まず、ステップ２００では、画像データが取得される。画像データは、例えば、外部のパーソナルコンピュータから送信される画像データや、メディア読取装置１８によってメディアから読み取られた画像データや、スキャナ機構部５６によって原稿を読み取ることによって得られる画像データ等が取得される。
【００６７】
ステップ２０２では、サムネイル画像を表示するか否か判定される。該判定は、操作部１６ｂやタッチパネル１６ｃを介してサムネイル画像表示を表す指示が行われたか否かを判定することによってなされ、該判定が否定された場合には、そのまま当該サムネイル画像表示処理を終了する。また、ステップ２０２の判定が肯定された場合には、ステップ２０４へ移行する。
【００６８】
ステップ２０４では、上述のサムネイル画像表示数設定画面で予め設定されたサムネイル画像表示数が読み込まれてステップ２０６へ移行する。
【００６９】
ステップ２０６では、液晶表示器１６ａのサムネイル画像表示領域の大きさと、該読み込みのサムネイル画像表示数に基づいてサムネイル画像のサイズが決定される。すなわち、設定されたサムネイル画像表示数に応じて、サムネイル画像の大きさが、液晶表示領域の大きさに合わせて決定されて、ステップ２０８へ移行する。
【００７０】
ステップ２０８では、サムネイル画像表示数設定画面で予め設定されたサムネイル画像表示数と、ステップ２０６で決定したサムネイル画像の大きさでサムネイル画像が液晶表示器１６ａに表示される。
【００７１】
サムネイル画像の表示は、上記の実施の形態で説明したように、図６（Ａ）及び図６（Ｂ）に示すように、サムネイル画像表示数設定画面で予め設定した設定数に応じて表示される。なお、図６（Ａ）は、通常モード時のサムネイル画像表示例を示し、図６（Ｂ）では、音声ガイドモード時のサムネイル画像表示例を示したが、ここでは、図６（Ａ）は、サムネイル画像表示数が１２に設定された場合、図６（Ｂ）は、サムネイル画像表示数が２に設定された場合の例として、それぞれの図を説明する。
【００７２】
続いて、ステップ２１０では、次のページがあるか否か判定される。すなわち、ステップ２００で取得した画像データのうち、現在表示しているサムネイル画像の他に画像データがあるか否か判定され、該判定が肯定された場合には、ステップ２１２へ移行する。
【００７３】
ステップ２１２では、次ページ表示指示がなされたか否か判定される。該判定は、例えば、図６（Ａ）、（Ｂ）に示すように、液晶表示装置１６ａに表示された次ページボタン７４等に対応するタッチパネル１６ｃの位置が操作されたか否かを判定することによってなされ、該判定が否定された場合には、肯定されるまで待機してステップ２１４へ移行して、次ページに対応するサムネイル画像が表示される。
【００７４】
なお、ステップ２０８でサムネイル画像が表示されている間や、ステップ２１２の判定で待機している間に、例えば、上記の実施の形態と同様に、図６（Ａ）、（Ｂ）に示す液晶表示器１６ａに表示された処理１ボタン７６や処理２ボタン７８等の所定の処理を実行するためのボタンに対応するタッチパネル１６ｃの位置が操作された場合には、対応する処理を行うようにしてもよい。
【００７５】
一方、ステップ２１０の判定が否定された場合には、そのままサムネイル画像表示処理を終了する。
【００７６】
このように、変形例でも、図７に示すようなサムネイル画像表示数設定画面で、液晶表示器１６ａに表示するサムネイル画像数を予め設定して、設定に応じて、サムネイル画像を表示することができるので、所望の数のサムネイル画像を液晶表示器１６ａに表示させることができる。また、このとき、設定されたサムネイル画像表示数と、液晶表示器１６ａの表示領域の大きさと、に基づいて、サムネイル画像の大きさを決定して表示するので、サムネイル画像表示数を少なく設定することにより、サムネイル画像表示数を多く設定する場合に比べて、大きなサムネイル画像を表示することができるので、高齢者や身体障害を持った方でも見やすいサムネイル画像を容易に表示することができる。
【００７７】
また、サムネイル画像表示数は、上述のサムネイル画像表示数設定画面で容易に設定することができるので、使用者の好みに応じて設定を変更することができ、健常者を問わず、誰にでも高い操作性を提供することができる。
【００７８】
なお、上記の実施の形態及び変形例では、サムネイル画像を表示する際に、次ページがある場合には、次ページボタン７４を操作することによって、次ページを表示させるようにしたが、これに限るものではなく、例えば、図９（Ａ）、（Ｂ）に示すように、次ページボタン７４の代わりにスクロールボタン８０を表示して、スクロールボタン８０の表示に対応するタッチパネル１６ｃの位置が操作された場合に、操作に対応する方向に画面をスクロールして、表示されていない残りのサムネイル画像を表示するようにしてもよい。この場合には、図９に示すように、例えば、現在の表示されている位置が全体のサムネイル画像のうちに対してどのあたりかを表すスクロールバー８２を設けるようにしてもよいし、該スクロールバー８２を移動させる操作によりスクロールするようにしてもよい。
【００７９】
また、上記の実施の形態では、サムネイル画像表示数を設定する際に、液晶表示器１６ａに表示するサムネイル画像数を設定する例を示したが、液晶表示器１６ａの縦横の少なくとも方向に表示するサムネイル画像数を設定するようにしてもよい。すなわち、図６（Ａ）の例では、例えば、縦３のサムネイル画像数、又は横４のサムネイル画像数を設定することによって、図６（Ａ）に示す例を表示するようにしてもよいし、縦横それぞれのサムネイル画像数を設定するようにしてもよい。
【００８０】
【発明の効果】
以上説明したように本発明によれば、表示面に表示する小画像数を設定することができ、かつ小画像数の設定だけで、小画像のサイズを変更することができるので、高齢者や身体障害を持った方にとっても操作性の高いサムネイル画像表示機能を提供することができる、という効果がある。
【図面の簡単な説明】
【図１】本発明の実施の形態に係わる複合機の外観を示す斜視図である。
【図２】コントロールパネルの具体的な構成例を示す図である。
【図３】本発明の実施の形態に係わる複合機の制御部の構成を示すブロック図である。
【図４】サムネイル画像表示数設定画面の一例を示す図である。
【図５】本発明の実施の形態に係わる複合機におけるサムネイル画像表示処理を示すフローチャートである。
【図６】サムネイル画像表示例を示す図である。
【図７】変形例におけるサムネイル画像表示数設定画面の一例を示す図である。
【図８】変形例におけるサムネイル画像表示処理を示すフローチャートである。
【図９】その他のサムネイル画像表示例を示す図である。
【符号の説明】
１６ａ  液晶表示器
１６ｃ  タッチパネル
２６    テンキー
４０    音声ガイドボタン
５０    メインコントローラ
【図１】
2004226912.tif 000003
【図２】
2004226912.tif 000004
【図３】
2004226912.tif 000005
【図４】
2004226912.tif 000006
【図５】
2004226912.tif 000007
【図６】
2004226912.tif 000008
【図７】
2004226912.tif 000009
【図８】
2004226912.tif 000010
【図９】
2004226912.tif 000011